(57)【要約】      （修正有）【課題】椅子などに座った状態で、膝掛けを膝に掛けたり、ずれ落ちないように脚部に巻きつけていても、立ち上がろうとしたり少し姿勢を崩したりしたとき、膝掛けを手で押さえておかないとずれたり床に落とすことがある。車椅子を利用しているときは、両手を使い車椅子を操作するので特に膝掛けがずれ落ち易い。この状況に対処できる着脱が容易でずれ落ちない膝掛けを提供する。【解決手段】膝掛けに形状記憶材を着脱するための開口部と装着時の形状記憶材５の脱落を防止するための蓋部を有する形状記憶材装着用袋体２を設け、形状記憶材５を必要に応じて自由に出し入れができる構造にする。この形状記憶材装着用袋体２に形状記憶材５を装着した状態で、大腿部又は腰部を挟み込んで使用することで膝掛けのずれ落ちを防止する。【選択図】図５
0003155616.tif 000002
【実用新案登録請求の範囲】
【請求項１】
一端部に、ずれ落ちを防止するための形状記憶材を着脱する開口部と装着時の脱落を防止する蓋部を有する形状記憶材装着用袋体を設けた構造の膝掛け。
【考案の詳細な説明】
【技術分野】
【０００１】
本考案は、使用中ずれ落ちない膝掛けに関する。
【背景技術】
【０００２】
椅子などに座った場合、足や腰が冷えないように膝掛けと呼ばれる布を膝に掛けたり、また脚部に巻きつけたりしている。この膝掛けは使用中にずれ落ちることが多く、使用者を悩ませている。ずれ落ち対策として、方形の膝掛けの一隅部を厚肉としこの重量によって下方にずれ落ちるのを防止する膝掛け（例えば、特許文献１参照。）、机の裏側等に設置した磁石や鉄系金属と膝掛けに装着した磁石の作用によりずれ落ちを防止する膝掛け（例えば、特許文献２参照。）、固定のためのフックを備えた車椅子用膝掛け（例えば、特許文献３参照。）等が提案されているが、必ずしも使い勝手のいいものではない。
【０００３】
一方、衣料品を形状保持の視点で概観すると、形状記憶合金（例えば、特許文献４、５参照。）を利用したブラジャーや衣服が提案されおり、その多くが衣料品の初期形状の変形防止に応用されている。しかしながら、この形状記憶合金は膝掛けの装着具としては応用されていない。さらに、その他の形状記憶材についても形状記憶合金同様膝掛けの装着具としては応用されていない。
【先行技術文献】
【特許文献】
【０００４】
【特許文献１】実用新案登録第３０１０４１９号公報
【特許文献２】実用新案登録第３１３７１３１号公報
【特許文献３】実用新案登録第３１１５４７３号公報
【特許文献４】特開２００１−２０１１６号公報
【特許文献５】特開平９−１７６７６５号公報
【考案の概要】
【考案が解決しようとする課題】
【０００５】
椅子などに座った状態で、膝掛けを膝に掛けたり、ずれ落ちないように脚部に巻きつけていても、立ち上がろうとしたり少し姿勢を変えたとき、手で押さえておかないと膝掛けはずれたり床に落ちてしまったりする。車椅子を利用しているときは、両手を使い車椅子を操作するため特に膝掛けがずれ落ち易く、もし介護者がいない場合は、膝掛けを拾うことも困難であり困窮することになる。このような状況に対処できる着脱が容易でずれ落ちない膝掛けを提供する。
【課題を解決するための手段】
【０００６】
従来の膝掛けに形状記憶材５を着脱するための開口部４と装着時の形状記憶材５の脱落を防止するための蓋部３を有する形状記憶材装着用袋体２を設け、形状記憶材５を必要に応じて自由に出し入れができる構造にした。この形状記憶材装着用袋体２に形状記憶材５を装着した状態で、大腿部又は腰部を挟み込んで使用することで膝掛けのずれ落ちの問題を解決した。
【考案の効果】
【０００７】
本考案の膝掛けは形状記憶材５が適度の締付力を有しており、立位状態、着座状態のいずれであっても着脱が容易であり、使用中での立ち上がり時や姿勢を崩した時にもずれ落ちることはない。また、形状記憶材５を外すと従来の膝掛けとして使用出来る。また、汚れた場合には従来通り洗濯も可能である。さらに、膝掛け本体１の外側又は内側にポケット７を任意に設け、カイロ等の発熱剤を入れることで加温も可能であり、冬はもちろん夏の冷房による足腰の冷えに対しても快適に過ごせる効果も有している。
【図面の簡単な説明】
【０００８】
【図１】本考案膝掛けの一例を示す使用時内側の平面図である。
【図２】蓋部の構造例１を示す図である。
【図３】蓋部の構造例２を示す図である。
【図４】蓋部の構造例３を示す図である。
【図５】形状記憶材を装着した本考案膝掛けの斜視図である。
【図６】本考案膝掛けを装着して椅子に座っている状態を示す図である。
【考案を実施するための形態】
【０００９】
本考案は、使用中にずれ落ちない膝掛けを提供するものであり、以下実施するための形態を図面により説明する。
【００１０】
本考案の膝掛けは、図１に示すように、膝掛け本体１に形状記憶材５を着脱するための開口部４と装着時の形状記憶材５の脱落を防止するための蓋部３を有する形状記憶材装着用袋体２を設け、形状記憶材５を必要に応じて自由に出し入れができる構造にしたものである。そして、図５に示す形状記憶材装着用袋体２に形状記憶材５を装着した状態で、大腿部又は腰部を挟み込んで使用する。
【００１１】
形状記憶材装着用袋体２を設ける前の膝掛け本体１は従来から使用されている一般的な膝掛けでよい。この膝掛け本体１に形状記憶材５を着脱するための開口部４と装着時の形状記憶材５の脱落を防止するための蓋部３を有する形状記憶材装着用袋体２を形成する。この形状記憶材装着用袋体２は膝掛け本体１を折返し縫合する方法、又は膝掛け本体１とは別の素材を縫合する方法のいずれであってもよい。
【００１２】
蓋部３は、図２に示す様な形状記憶材装着用袋体２の開口部４から延長された蓋部３を折り返し、圧着テープで封じる蓋部の構造例１、図３に示すような二重袋構造で特別な封じ材を用いない蓋部の構造例２、また図４に示すような開口部４に圧着テープをとりつけただけの蓋部の構造例３、又は他の構造のいずれであってもよい。要は装着時に形状記憶材５が脱落せず、しかも容易に取り外せる構造であればよい。
【００１３】
形状記憶材５は変態温度−２０℃前後の特許文献１又は特許文献２のような形状記憶合金を使用して、その超弾性効果を利用するのが、利用者に優しい締め付け力となり推奨される。市販されているばね効果を利用した巻きつき素材、金属と合成樹脂を組み合わせた自在定規に用いられるような形状保持材等様々な形状記憶材５を利用することも可能である。形状記憶材５を特定するものではない。
【００１４】
膝掛け本体１の形状は概長方形のものが使い勝手がよいが、大腿部又は腰部を挟み込むための形状記憶材５を装着できる状態であれば方形でなくてもよい。
【００１５】
膝掛け本体１、形状記憶材装着用袋体２等の素材はウール、化学繊維、木綿、これらの混紡繊維、皮革等使用環境に応じて任意の素材を選択すればよい。
【００１６】
膝掛け本体１には、任意に柄や刺繍等による装飾を施すのもよく、実用的には膝掛け本体１の外側又は内側にポケット７を設けて、例えば内側のポケット７にはカイロを、外側のポケット７には日常の携帯品を入れるようにしてもよい。しかし、これらのポケット７は必ずしも必要とするものではない。
【実施例】
【００１７】
本考案の詳細を実施例で説明する。本考案はこの実施例によって何ら限定されるものではない。
縦１２０ｃｍ、横６５ｃｍのウール製の膝掛け本体１の長手方向の一端部を折り曲げ、幅３ｃｍの形状記憶材装着用袋体２を縫合形成した。形状記憶材装着用袋体２には長さ３ｃｍの図２に示す蓋部３を有しており圧着テープで封じることが可能な構造とした。この膝掛けの形状記憶材装着用袋体２に、形状記憶材５として変態温度−２０℃の変態形状記憶合金５を予め人体の腰部よりやや小さい相似形に形状記憶させたものを開口部４から挿入し、蓋部３を折り返し圧着テープ６で封じた。この膝掛けを図６に示す状態で腰部を挟み込んで使用したところ、立ち上がりや体を捩じる等の動作を繰り返しても、膝掛けのずり落ちはなく快適な使用が可能であった。
【符号の説明】
【００１８】
１  膝掛け本体
２  形状記憶材装着用袋体
３  蓋部
４  開口部
５  形状記憶材
６  圧着テープ
７  ポケット
【図１】
0003155616.tif 000003
【図２】
0003155616.tif 000004
【図３】
0003155616.tif 000005
【図４】
0003155616.tif 000006
【図５】
0003155616.tif 000007
【図６】
0003155616.tif 000008
【手続補正書】
【提出日】平成21年9月16日(2009.9.16)
【手続補正１】
【補正対象書類名】実用新案登録請求の範囲
【補正対象項目名】全文
【補正方法】変更
【補正の内容】
【実用新案登録請求の範囲】
【請求項１】
一端部に、ずれ落ちを防止するための形状記憶材を着脱する開口部と装着時の形状記憶材の脱落を防止する蓋部を有する形状記憶材装着用袋体を設けた構造の膝掛け。